(57)【要約】【課題】移動棚を移動した際の振動を効果的に吸収し、床面に不快な振動音となって伝達されるのを防止する。【解決手段】固定棚用のベース台４と移動棚用のベース台３とを、架台２の上面に固定するとともに、架台２の下面と床面１７との間に防振部材１６を設ける。【選択図】  図３
2004159772.tif 000002
【特許請求の範囲】
【請求項１】
最後列の固定棚の前方に、少なくとも１列の移動棚を左右方向に移動可能に並設してなる移動棚装置において、
前記固定棚用のベース台と移動棚用のベース台とを、架台の上面に固定するとともに、該架台の下面と床面との間に防振部材を設けたことを特徴とする移動棚装置。
【請求項２】
移動棚が、そのベース台に取付けた複数のアジャスタにより架台に支持されているものにおいて、防振部材を各アジャスタのほぼ直下に設けた請求項１に記載の移動棚装置。
【請求項３】
防振部材が、防振ゴムと、その上下の面に固着された金属板とからなるものである請求項１または２に記載の移動棚装置。
【請求項４】
各ベース台を、架台を貫通して床に固着された複数のアンカボルトの上端部に、防振ゴムを介在させてナットにより固定した請求項１ないし３のいずれかに記載の移動棚装置。
【発明の詳細な説明】
【０００１】
【発明の属する技術分野】
本発明は、前列に側方に移動可能な棚を備える移動棚装置、特に防振機能を有する移動棚装置に関する。
【０００２】
【従来の技術】
移動棚装置は、前後複数列の棚のうち、最後列の棚を固定し、前列の複数の棚を側方に移動し得るようにしてあるのが一般的である。
【０００３】
このような移動棚装置において、後列の固定棚は、床面に設置されたベース台に固定され、また前列の移動棚は、床面に設置されたベース台上に敷設した複数のレールにより、側方に移動可能に支持されている（例えば特許文献１、２参照）。
【０００４】
【特許文献１】
実開昭５９−１８２２３６号公報（第１図）
【特許文献２】
特開平１０−３２７９４５号公報（第５図）
【０００５】
【発明が解決しようとする課題】
上述した特許文献１、２に記載されている従来の移動棚装置においては、何ら防振手段が設けられていないため、前列の移動棚を側方に移動させた際に、該移動棚車輪とレールとの間に発生する転がり音が、ベース台を介して床面に伝達され、不快な振動音を発したり、それが階下に異音として伝わり、作業環境を悪くしたりすることがあった。
【０００６】
本発明は、上記問題点を解決するためになされたもので、移動棚を移動した際の振動を効果的に吸収して、床面に振動音となって伝達されるのを防止し、作業環境を向上させることができるようにした移動棚装置を提供することを目的としている。
【０００７】
【課題を解決するための手段】
上記目的を達成するために、本発明の移動棚装置は、最後列の固定棚の前方に、少なくとも１列の移動棚を左右方向に移動可能に並設してなる移動棚装置において、前記固定棚用のベース台と移動棚用のベース台とを、架台の上面に固定するとともに、該架台の下面と床面との間に防振部材を設けたことを特徴としている。
上記構成の移動棚装置によると、移動棚を側方に移動させた際の振動は、架台の下面と床面との間に設けた防振部材により効果的に吸収されるため、床面に不快な振動音となって伝達されるのが防止される。
【０００８】
上記移動棚装置において、移動棚が、そのベース台に取付けた複数のアジャスタにより架台に支持されているものにおいて、防振部材を各アジャスタのほぼ直下に設けるのが好ましい。
このようにすると、各アジャスタよりベース台に伝達される振動が、その直下の防振部材により速やかに吸収され、多方向に伝わることがなくなる。
【０００９】
上記移動棚装置において、防振部材が、防振ゴムと、その上下の面に固着された金属板とからなるものとするのが好ましい。
このようにすると、防振部材の耐荷重強度が大となるとともに、防振ゴムの耐久性が向上する。
【００１０】
上記移動棚装置において、各ベース台を、架台を貫通して床に固着された複数のアンカボルトの上端部に、防振ゴムを介在させてナットにより固定するのが好ましい。
このようにすると、ベース台からアンカボルトを介して床面に伝わろうとする振動が、アンカボルトの上端部の防振ゴムにより吸収されるので、床面に伝達される不快な振動音はより小さくなる。
【００１１】
【発明の実施の形態】
以下、本発明の実施形態を図面に基づいて説明する。図１は、本発明の移動棚装置の斜視図、図２は、防振架台の平面図、図３は、図２のＩＩＩ−ＩＩＩ線の縦断側面図、図４は、同じく図２のＩＶ−ＩＶ線の拡大縦断正面図である。
【００１２】
図１に示すように、移動棚装置１は、左右１対の防振架台２、２と、両防振架台２の上面に固定された前後２枚のベース台３、４と、前方のベース台３上に敷設された左右方向を向く前後１対のガイドレール５、５上に、図示しない車輪を介して左右方向に移動可能に載置された左右２個の移動棚６、６と、後方のベース台４上に移動不能に固定された３個の固定棚７とからなり、移動棚６の前面には開き戸８が、固定棚７の前面には引き戸９が、それぞれ設けられている。
【００１３】
上記防振架台２は、その前後長が、前後のベース台３、４を合わせた前後寸法とほぼ等しい長方形の中空板状をなし、左右の防振架台２同士の上面間の前部と後部には、図２及び図３に示すように、ベース台３固定用のＬ字形断面をなす前後１対の固定部材１０、１０と、ベース台４固定用のほぼ上向きコ字形断面の前後１対の固定部材１１、１１とが架設され、固定部材１１には、正面視Ｌ字形の複数の固定金具１２が固着されている。
【００１４】
１３は、ベース台３、４の下面の四隅部に取付けられたアジャスタで、ベース台３の４個のアジャスタ１３は、両防振架台２の上面に、ベース台４の４個のアジャスタ１３は、１対の固定部材１１の上面に、それぞれ当接している。従って、両ベース台３、４の高さを、ＯＡフロア等の高さに応じて最適に調節することができる。
【００１５】
左右の防振架台２の下面におけるベース台３、４の各アジャスタ１３とほぼ対向する直下には、図４に拡大して示すように、横長の長方形をなすとともに、防振ゴム１４の上下の面に金属板１５を固着して形成された４個ずつの防振部材１６が固着されている。
【００１６】
左右の防振架台２は、固定部材１０の固着部と後部側の防振部材１６の固着部において、床面１７にアンカボルト１８により固定されている。ベース台３側の左右２個ずつのアンカボルト１８は、前方の２個の固定部材１０の固着部において防振架台２を貫通し、下端部が床面１７に埋設されている。
【００１７】
ベース台４側の左右２個ずつのアンカボルト１８は、後方の２個の固定部材１１の固着部において防振架台２と防振部材１６の内端部を貫通し、下端部が床面１７に埋設されている（図４参照）。
【００１８】
各アンカボルト１８の上端部は、架台２と固定部材１０、１１を貫通して上方に突出し、その突出端部には、厚肉の防振ゴム１９が嵌合され、その上面を平ワッシャ２０を介してナット２１により押圧することにより、前部側の左右２個の防振ゴム１９は、防振架台２の上面に、後部側の左右２個の防振ゴム１９は、固定部材１１の上面に、それぞれ圧接している。
【００１９】
各アンカボルト１８にナット２１を螺合することにより、全ての防振部材１６が床面１７に圧接するとともに、左右の防振架台２は、下方の防振部材１６と上方の防振ゴム１９とにより、床面１７より離間した状態で弾性的に支持される。
【００２０】
上記実施形態の移動棚装置において、移動棚６を左右方向の移動させた際に生じる転がり音に伴う振動は、移動棚６の全重量を支持している４個のアジャスタ１３を介して、左右の防振架台２に伝達されるが、両防振架台２の下面におけるアジャスタ１３の直下には、防振部材１５が固着され、これが床面１７に圧接しているので、防振架台２の振動が防振部材１５により効果的に吸収される。従って、床面１７に不快な振動音となって伝わるのが防止される。
【００２１】
また、上記振動は、アンカボルト１８を介して床面１７に伝わろうとするが、アンカボルト１８の上端部に設けた防振ゴム１９が振動を吸収するので、アンカボルト１８を介して床面１７に伝達される振動音も小さくなる。
【００２２】
さらに、防振架台２は、固定棚７のベース台４をも支持しており、かつベース台４の４個のアジャスタ１３の直下及びアンカボルト１８の上端部には、上記と同様の防振部材１５と防振ゴム１９が設けられているので、移動棚６移動時の振動が後方のベース台４に伝達されたとしても、その振動音がベース台４やアンカボルト１８を介して床面１７に伝わるのを抑えることができる。
【００２３】
地震等による振動が、床面１７側より移動棚６や固定棚７に伝達されにくくなり、棚内の収容物の転倒や落下が防止される。
【００２４】
本発明は、上記実施形態に限定されるものではなく、種々の形態をとり得る。
【００２５】
前側の左右２本のアンカボルト１８の位置を、前部側の２個の防振部材１３の位置までずらし、後部側のアンカボルト１８と同様に、防振部材１３を貫通させて床面１７に固定するようにしてもよい。
【００２６】
各防振部材１３を架台２の下面に固着しているが、単に架台２と床面１７との間に挟入するようにしてもよい。
【００２７】
固定棚７側のベース台４を固定するアンカボルト１８の上端部の防振ゴム１９は省略することもできる。
【００２８】
【発明の効果】
本発明によれば、次のような効果が得られる。
【００２９】
（ａ）請求項１に記載の発明によれば、移動棚を移動させた際の振動は、架台と床面との間に設けた防振部材により効果的に吸収されるため、床面に不快な振動音となって伝達されたり、階下に異音として伝わり、作業環境を悪化させたりするのが防止される。また、固定棚用のベース台も架台に固定されているので、移動棚移動時の振動が固定棚側のベース台に伝達されても、それよりの振動音が床面に伝わるのが防止される。
【００３０】
（ｂ）請求項２に記載の発明によれば、複数のアジャスタよりベース台に伝達される振動が、その直下の防振部材により直接かつ速やかに吸収されるので、多方向に振動が伝わることがなくなる。
【００３１】
（ｃ）請求項３に記載の発明によれば、振動部材の耐荷重強度が大となるとともに、防振ゴムが早期にへたるのが防止されるため、その耐久性が向上する。
【００３２】
（ｄ）請求項４に記載の発明によれば、ベース台からアンカボルトを介して床面に伝わろうとする振動が、アンカボルトの上端部の防振ゴムにより吸収されるため、床面に伝達される不快な振動音はより小さくなる。
【図面の簡単な説明】
【図１】本発明の移動棚装置の斜視図である。
【図２】同じく、防振架台の平面図である。
【図３】図２のＩＩＩ−ＩＩＩ線の縦断側面図である。
【図４】同じく、図２のＩＶ−ＩＶ線の拡大縦断正面図である。
【符号の説明】
１                移動棚装置
２                防振架台
３、４            ベース台
５                ガイドレール
６                移動棚
７                固定棚
８                開き戸
９                引き戸
１０、１１        固定部材
１２              固定金具
１３              アジャスタ
１４              防振ゴム
１５              金属板
１６              防振部材
１７              床面
１８              アンカボルト
１９              防振ゴム
２０              平ワッシャ
２１              ナット
【図１】
2004159772.tif 000003
【図２】
2004159772.tif 000004
【図３】
2004159772.tif 000005
【図４】
2004159772.tif 000006